(57)【要約】【課題】光源から出射して反射シートにより後方へ向けて反射した光を、リフレクタにより前方へ向けて反射させるように構成された車両用灯具において、その反射シートが灯具正面視において均一にかつ明るく発光して見えるようにする。【解決手段】５つの発光素子２２からの出射光を、複数の透光部２４ａが形成された反射シート２４により後方へ向けて反射させた後、この光をリフレクタ２６により前方へ向けて反射させて、反射シート２４に形成された複数の透光部２４ａを透して灯具前方へ向けて出射させる構成とする。その際、反射シート２４に形成された複数の透光部２４ａの面積比率を、５つの発光素子２２から反射シート２４に沿った方向に離れるに従って高くなるように設定する。また、リフレクタ２６の反射面２６ａを、５つの発光素子２２から反射シート２４に沿った方向に離れるに従って該反射シート２４に近づくように形成する。【選択図】図１
2013020895.tif 000002
【特許請求の範囲】
【請求項１】
光源と、この光源の前方に配置され、該光源からの出射光を後方へ向けて反射させる反射シートと、この反射シートの後方に配置され、該反射シートで反射した上記光源からの光を前方へ向けて反射させるリフレクタと、を備えてなる車両用灯具において、
上記反射シートに、上記リフレクタからの反射光を透過させるための複数の透光部が、上記光源から上記反射シートに沿った方向に離れるに従って該透光部の面積が大きくなるように形成されており、
上記リフレクタの反射面が、上記光源から上記反射シートに沿った方向に離れるに従って該反射シートに近づくように形成されている、ことを特徴とする車両用灯具。
【請求項２】
上記リフレクタの反射面における上記各透光部の後方に位置する第１領域に、上記反射シートからの反射光を該透光部へ向けて反射させる少なくとも１つの反射素子がそれぞれ形成されており、
上記リフレクタの反射面における上記複数の第１領域以外の第２領域が、上記反射シートからの反射光を正反射させるように形成されている、ことを特徴とする請求項１記載の車両用灯具。
【請求項３】
上記反射シートが、透光性を有する部材で構成されており、
上記複数の透光部が、上記反射シートの表面に、複数箇所の素通し部を残した状態で反射処理を施すことにより形成されている、ことを特徴とする請求項１または２記載の車両用灯具。
【請求項４】
上記反射シートにおける上記光源の前方に位置する領域が、半透光部として構成されている、ことを特徴とする請求項１〜３いずれか記載の車両用灯具。
【請求項５】
上記光源が、上記反射シートと略平行に延びる基板に支持された複数の発光素子で構成されており、
上記リフレクタが、上記基板に支持されており、
上記複数の発光素子を点灯制御する点灯制御回路が、上記基板における上記リフレクタの後方部位に配置されている、ことを特徴とする請求項１〜４いずれか記載の車両用灯具。
【発明の詳細な説明】
【技術分野】
【０００１】
本願発明は、光源から出射して反射シートにより後方へ向けて反射した光を、リフレクタにより前方へ向けて反射させるように構成された車両用灯具に関するものである。
【背景技術】
【０００２】
従来より、発光ダイオード等の光源からの出射光を、複数の透光部が形成された反射シートにより後方へ向けて反射させた後、この光をリフレクタにより前方へ向けて反射させて、反射シートの各透光部を透して灯具前方へ向けて出射させるように構成された灯具が知られている。
【０００３】
「特許文献１」には、このような灯具において、反射シートに形成された複数の透光部の面積比率が、光源から反射シートに沿った方向に離れるに従って高くなるように設定された構成が記載されている。
【先行技術文献】
【特許文献】
【０００４】
【特許文献１】特開２００８−２７８８６
【発明の概要】
【発明が解決しようとする課題】
【０００５】
上記「特許文献１」に記載された構成を採用することにより、光源から離れた位置でも反射シートを明るく発光させることができ、これにより反射シートをある程度均一に発光させることが可能となる。
【０００６】
しかしながら、この「特許文献１」に記載された灯具においては、そのリフレクタの反射面の大半が反射シートと平行に延びるように形成されているので、このような灯具構成をそのまま車両用灯具に適用した場合には、次のような問題がある。
【０００７】
すなわち、一般に車両用灯具においては、灯具正面視において均一にかつ明るく発光して見えるようにすることが望まれる。しかしながら、上記「特許文献１」に記載された灯具のように、リフレクタの反射面の大半が反射シートと平行に延びるように形成されている場合には、反射シートに形成された複数の透光部を透して灯具前方へ向けて出射する光のうち、灯具正面方向へ向かう光の量は少なく、特に、光源から反射シートに沿った方向に離れた位置の透光部から出射する光は、その出射方向が灯具正面方向から大きくずれてしまう。このため、灯具正面視において反射シートが明るく均一に発光して見えるようにすることができない、という問題がある。
【０００８】
本願発明は、このような事情に鑑みてなされたものであって、光源から出射して反射シートにより後方へ向けて反射した光を、リフレクタにより前方へ向けて反射させるように構成された車両用灯具において、その反射シートが灯具正面視において均一にかつ明るく発光して見えるようにすることができる車両用灯具を提供することを目的とするものである。
【課題を解決するための手段】
【０００９】
本願発明は、反射シートを備えた灯具構成とした上で、リフレクタの構成に工夫を施すことにより、上記目的達成を図るようにしたものである。
【００１０】
すなわち、本願発明に係る車両用灯具は、
光源と、この光源の前方に配置され、該光源からの出射光を後方へ向けて反射させる反射シートと、この反射シートの後方に配置され、該反射シートで反射した上記光源からの光を前方へ向けて反射させるリフレクタと、を備えてなる車両用灯具において、
上記反射シートに、上記リフレクタからの反射光を透過させるための複数の透光部が、上記光源から上記反射シートに沿った方向に離れるに従って該透光部の面積が大きくなるように形成されており、
上記リフレクタの反射面が、上記光源から上記反射シートに沿った方向に離れるに従って該反射シートに近づくように形成されている、ことを特徴とするものである。
【００１１】
上記「光源」の種類は特に限定されるものではなく、例えば発光ダイオード等が採用可能である。
【００１２】
上記「反射シート」は、光源からの出射光を後方へ向けて反射させるように構成されたシート状の部材であれば、その材質や光源からの出射光を後方へ向けて反射させるための具体的な構成については特に限定されるものではない。
【００１３】
上記「複数の透光部」は、リフレクタからの反射光を透過させることができれば、その具体的な構成については特に限定されるものではなく、例えば、透光性を有さない材料で構成された反射シートの複数箇所に形成された貫通孔や、透光性を有する部材で構成された反射シートの表面に複数箇所の素通し部を残した状態で反射処理を施すことにより形成されたもの等が採用可能である。
【００１４】
上記「リフレクタ」は、その反射面が、光源から反射シートに沿った方向に離れるに従って該反射シートに近づくように形成されたものであれば、その外形形状や反射面形状等の具体的な構成については特に限定されるものではない。
【発明の効果】
【００１５】
上記構成に示すように、本願発明に係る車両用灯具は、光源からの出射光を、複数の透光部が形成された反射シートにより後方へ向けて反射させた後、この光をリフレクタにより前方へ向けて反射させて、反射シートに形成された複数の透光部を透して灯具前方へ向けて出射させるように構成されているが、その際、反射シートに形成された複数の透光部は、その面積比率が、光源から反射シートに沿った方向に離れるに従って高くなるように設定されているので、光源から離れた位置でも反射シートを明るく発光させることができる。
【００１６】
その上で、本願発明に係る車両用灯具においては、リフレクタの反射面が、光源から反射シートに沿った方向に離れるに従って該反射シートに近づくように形成されているので、従来のように反射シートと平行に延びるように形成されている場合に比して、反射シートに形成された複数の透光部を透して灯具前方へ向けて出射する光のうち、灯具正面方向へ向かう光の割合を大幅に高めることができる。特に、光源から反射シートに沿った方向に離れた位置に形成された透光部においても、各透光部を透して灯具前方へ向けて出射する光の出射方向が灯具正面方向から大きくずれてしまわないようにすることができる。そしてこれにより、灯具正面視において反射シートが明るく均一に発光して見えるようにすることができ、これを車両用灯具に適したものとすることができる。
【００１７】
このように本願発明によれば、光源から出射して反射シートにより後方へ向けて反射した光を、リフレクタにより前方へ向けて反射させるように構成された車両用灯具において、その反射シートが灯具正面視において均一にかつ明るく発光して見えるようにすることができる。
【００１８】
上記構成において、リフレクタの反射面における各透光部の後方に位置する第１領域に、反射シートからの反射光を該透光部へ向けて反射させる少なくとも１つの反射素子がそれぞれ形成された構成とするとともに、リフレクタの反射面における複数の第１領域以外の第２領域が、反射シートからの反射光を正反射させるように形成された構成とすれば、次のような作用効果を得ることができる。
【００１９】
すなわち、リフレクタの反射面における各透光部の後方に位置する第１領域に、反射シートからの反射光を各透光部へ向けて反射させる少なくとも１つの反射素子がそれぞれ形成された構成とすることにより、反射シートに形成された複数の透光部を透して灯具正面方向へ向かう光の割合をより一層高めることができる。その際、リフレクタの反射面における複数の第１領域以外の第２領域が、反射シートからの反射光を正反射させるように形成された構成とすることにより、光源からの出射光を、反射シートとリフレクタの反射面の第２領域との間で繰り返し反射させて、光源から離れた位置まで効率良く導くことができ、これにより反射シートをより一層均一に発光させることができる。
【００２０】
この場合において、各第１領域に形成された「少なくとも１つの反射素子」は、反射シートからの反射光を該第１領域の前方に位置する透光部へ向けて反射させることが可能なものであれば、その具体的な構成は特に限定されるものではなく、例えば楔状に形成されたもの、あるいは点刻やシボ加工が施されたもの等が採用可能である。
【００２１】
上記構成において、反射シートが、透光性を有する部材で構成されるとともに、複数の透光部が、反射シートの表面に、複数箇所の素通し部を残した状態で反射処理を施すことにより形成された構成とすれば、複数の透光部を容易に形成することができる。
【００２２】
この場合において、「透光性を有する部材」は、透明部材であってもよいし、半透明部材であってもよい。また、反射処理が施される「反射シートの表面」は、反射シートの前面であってもよいし、その後面であってもよい。さらに「反射処理」としては、ホットスタンプやアルミ蒸着等が採用可能である。
【００２３】
上記構成において、反射シートにおける光源の前方に位置する領域が、半透光部として構成されたものとすれば、灯具正面視において反射シートを、光源の前方に位置する領域とそれ以外の領域との間で略均一に発光して見えるようにすることができる。
【００２４】
この場合において、「半透光部」の具体的な構成は特に限定されるものではなく、例えば、反射シートを透明部材で構成した上で、その光源の前方に位置する領域の表面に、例えば印刷、塗装、ホットスタンプ等によって半透過膜を形成することにより構成されたもの、あるいは、反射シートにおける光源の前方に位置する領域が半透明部材で構成されたもの等が採用可能である。
【００２５】
上記構成において、光源が、反射シートと略平行に延びる基板に支持された複数の発光素子で構成されており、また、リフレクタが、基板に支持された構成となっている場合において、複数の発光素子を点灯制御する点灯制御回路が、基板におけるリフレクタの後方部位に配置された構成とすれば、灯具の薄型化を図った上で上記作用効果を得ることができる。
【図面の簡単な説明】
【００２６】
【図１】本願発明の一実施形態に係る車両用灯具を示す側断面図
【図２】図１のII方向矢視図
【図３】図１のIII 部詳細図
【図４】図３のIV部詳細図
【図５】上記実施形態の作用を示す、図２と同様の図
【図６】上記実施形態の第１変形例を示す、図４と同様の図
【図７】上記実施形態の第２変形例を示す、図３と同様の図
【図８】上記実施形態の第３変形例を示す、図３と同様の図
【発明を実施するための形態】
【００２７】
以下、図面を用いて、本願発明の実施の形態について説明する。
【００２８】
図１は、本願発明の一実施形態に係る車両用灯具を示す側断面図である。また、図２は、図１のII方向矢視図である。
【００２９】
これらの図に示すように、本実施形態に係る車両用灯具１０は、ランプボディ１２とこのランプボディ１２の外周縁部に取り付けられた素通し状の透光カバー１４とで形成される灯室内に、光源としての５つの発光素子２２と、これら５つの発光素子２２の前方に配置され、これら各発光素子２２からの出射光を後方へ向けて反射させる反射シート２４と、この反射シート２４の後方に配置され、該反射シート２４で反射した各発光素子２２からの光を前方へ向けて反射させるリフレクタ２６と、５つの発光素子２２を支持する基板２８とが組み込まれた構成となっている。
【００３０】
この車両用灯具１０は、車室内の天井に下向きで取り付けられた状態で用いられるルームランプであるが、図１においては、灯具前方を上向きにした状態で示している。なお、図２においては、車両用灯具１０を、その透光カバー１４を取り外した状態で示している。
【００３１】
５つの発光素子２２は、灯具前後方向に延びる光軸Ａｘ上に配置された１つの発光素子２２と、その周囲に十字に配置された４つの発光素子２２とからなっている。これら５つの発光素子２２は、いずれも白色発光ダイオードで構成されており、その発光面を灯具前方へ向けるようにして配置されている。
【００３２】
図３は、図１のIII 部詳細図であり、図４は、図３のIV部詳細図である。
【００３３】
これらの図にも示すように、反射シート２４は、光軸Ａｘと直交する平面に沿って延びるように配置された透明部材３４の後面３４ａの一部に反射膜３６が形成されるとともに、その前面３４ｂの一部に半透過膜３８が形成された構成となっている。
【００３４】
この反射シート２４は、灯具正面視において光軸Ａｘを中心とする円形の外形形状を有している。そして、この反射シート２４は、その外周縁部が後方側へ立ち上がる環状フランジ部２４ｃとして形成されており、この環状フランジ部２４ｃにおいてリフレクタ２６にカシメ固定されている。
【００３５】
反射膜３６は、透明部材３４の後面３４ａにおいて、光軸Ａｘを中心とする円形領域を除いた環状領域に対して、複数箇所の素通し部３４ａ１を残した状態でホットスタンプ等の反射処理を施すことにより形成されている。
【００３６】
これら複数箇所の素通し部３４ａ１は、光軸Ａｘに関して、径方向に等間隔をおいて形成されており、かつ、周方向に等角度間隔をおいて形成されている。その際、これら複数箇所の素通し部３４ａ１は、いずれも円形形状で形成されており、かつ、光軸Ａｘから離れるに従ってその径が徐々に大きくなるように形成されている。
【００３７】
そして、このように透明部材３４に対して、その後面３４ａの複数箇所に素通し部３４ａ１が形成されることにより、反射シート２４に、リフレクタ２６からの反射光を透過させるための複数の透光部２４ａが形成されるようになっている。
【００３８】
一方、半透過膜３８は、透明部材３４の前面３４ｂにおいて、光軸Ａｘを中心とする円形領域に印刷等により形成されている。その際、この半透過膜３８の外周縁は、反射膜３６の内周縁よりもやや大きい径に設定されている。具体的には、５つの発光素子２２が灯具正面方向からほとんど見えなくなる程度の大きさの径に設定されている。
【００３９】
そしてこれにより、反射シート２４における５つの発光素子２２の前方に位置する領域を、各発光素子２２からの出射光の一部を拡散光として透過させる半透光部２４ｂとして構成するようになっている。
【００４０】
リフレクタ２６は、肉厚略一定の部材であって、光軸Ａｘを中心とする円錐面に略沿って延びるように形成されている。具体的には、このリフレクタ２６は、その中心部に、５つの発光素子２２を囲む開口部２６ｂが形成されており、この開口部２６ｂの周囲から光軸Ａｘの径方向外方へ向けて前方側へ変位するように形成されている。そして、このリフレクタ２６は、その開口部２６ｂの周囲において基板２８に固定されている。
【００４１】
このリフレクタ２６は、その前面が反射面２６ａとして形成されているが、この反射面２６ａは、光軸Ａｘの径方向外方へ向けて前方側へ変位する円錐面を基準面として形成されている。
【００４２】
すなわち、この反射面２６ａは、反射シート２４の各透光部２４ａの後方に位置する複数の第１領域２６ａ１とそれ以外の第２領域２６ａ２とで構成されている。そして、各第１領域２６ａ１には、反射シート２４からの反射光を、その前方に位置する各透光部２４ａへ向けて反射させるための複数の反射素子２６ｓが形成されている。一方、第２領域２６ａ２には、上記基準面のままで、反射素子２６ｓは形成されておらず、反射シート２４からの反射光を正反射させるようになっている。
【００４３】
その際、各第１領域２６ａ１は、その前方に位置する各透光部２４ａの径よりもやや大きめの径を有する円形領域として設定されている。そして、各第１領域２６ａ１に形成された複数の反射素子２６ｓは、光軸Ａｘの径方向外方へ向けて段上がりとなる楔状の反射素子が鋸歯状に配列された構成となっている。そしてこれにより、各第１領域２６ａ１に到達した反射シート２４からの反射光を、その前方に位置する各透光部２４ａへ向けて偏向反射させるようになっている。
【００４４】
一方、各第２領域２６ａ２においては、該第２領域２６ａ２に到達した反射シート２４からの反射光を光軸Ａｘの径方向外方へ向けて正反射させ、これを反射シート２４で再び反射させるようになっている。そして、このような繰返し反射により、各発光素子２２からの出射光をリフレクタ２６の外周縁部まで効率良く導くようになっている。
【００４５】
リフレクタ２６は、その外周縁部が前方側へ立ち上がる環状フランジ部２６ｃとして形成されており、この環状フランジ部２６ｃを反射シート２４の環状フランジ部２４ｃに内接させた状態で上記カシメ固定が行われるようになっている。
【００４６】
基板２８は、光軸Ａｘと直交する平面に沿って延びるように配置されており、その外形形状はリフレクタ２６と略同一径の円形形状に設定されている。
【００４７】
この基板２８は、その外周縁近傍の複数箇所においてランプボディ１２にカシメ固定されている。そして、この基板２８の前面におけるリフレクタ２６の後方部位には、５つの発光素子２２を点灯制御するための点灯制御回路４０およびその他の回路のチップ部品が実装されている。
【００４８】
図５は、５つの発光素子２２を点灯させた状態で、車両用灯具１０の反射シート２４を示す、図２と同様の図である。
【００４９】
同図に示すように、５つの発光素子２２を点灯させた状態では、反射シート２４はその複数の透光部２４ａが発光して見える。
【００５０】
その際、これら複数の透光部２４ａは、光軸Ａｘに関して、径方向に等間隔をおいて形成されており、かつ、周方向に等角度間隔をおいて形成されているので、反射シート２４は、光軸Ａｘに関して径方向に等間隔をおいてかつ周方向に等角度間隔をおいて発光して見える。
【００５１】
また、これら複数の透光部２４ａは、いずれも円形形状で形成されており、かつ、光軸Ａｘから離れるに従ってその径が徐々に大きくなるように形成されているので、光軸Ａｘから離れた位置にある透光部２４ａほど大きい発光面積で光って見える。
【００５２】
その際、リフレクタ２６の反射面２６ａは、光軸Ａｘから離れるに従って反射シート２４に近づくように形成されているので、反射シート２４に形成された複数の透光部２４ａを透して灯具前方へ向けて出射する光のうち、灯具正面方向へ向かう光の割合が比較的大きく確保され、これにより反射シート２４は灯具正面視において明るく均一に発光して見えることとなる。
【００５３】
しかも、リフレクタ２６の反射面２６ａにおける各透光部２４ａの後方に位置する第１領域２６ａ１には、反射シート２４からの反射光を該透光部２４ａへ向けて反射させる複数の反射素子２６ｓがそれぞれ形成されているので、反射シート２４に形成された複数の透光部２４ａを透して灯具正面方向へ向かう光の割合がさらに高くなる。また、複数の第１領域２６ａ１以外の第２領域２６ａ２は、反射シート２４からの反射光を正反射させるように形成されているので、５つの発光素子２２からの出射光は、反射シート２４とリフレクタ２６の反射面２６ａの第２領域２６ａ２との間で繰り返し反射して、５つの発光素子２２から離れた位置まで効率良く導かれる。このため、反射シート２４はより一層均一に発光することとなる。
【００５４】
次に、本実施形態の作用効果について説明する。
【００５５】
本実施形態に係る車両用灯具１０は、５つの発光素子２２からの出射光を、複数の透光部２４ａが形成された反射シート２４により後方へ向けて反射させた後、この光をリフレクタ２６により前方へ向けて反射させて、反射シート２４に形成された複数の透光部２４ａを透して灯具前方へ向けて出射させるように構成されているが、その際、反射シート２４に形成された複数の透光部２４ａは、その面積比率が、５つの発光素子２２から反射シート２４に沿った方向に離れるに従って高くなるように設定されているので、５つの発光素子２２から離れた位置でも反射シート２４を明るく発光させることができる。
【００５６】
その上で、本実施形態に係る車両用灯具１０においては、リフレクタ２６の反射面２６ａが、５つの発光素子２２から反射シート２４に沿った方向に離れるに従って該反射シート２４に近づくように形成されているので、従来のように反射シート２４と平行に延びるように形成されている場合に比して、反射シート２４に形成された複数の透光部２４ａを透して灯具前方へ向けて出射する光のうち、灯具正面方向へ向かう光の割合を大幅に高めることができる。特に、５つの発光素子２２から反射シート２４に沿った方向に離れた位置に形成された透光部２４ａにおいても、各透光部２４ａを透して灯具前方へ向けて出射する光の出射方向が灯具正面方向から大きくずれてしまわないようにすることができる。そしてこれにより、灯具正面視において反射シート２４が明るく均一に発光して見えるようにすることができ、これを車両用灯具１０に適したものとすることができる。
【００５７】
このように本実施形態によれば、５つの発光素子２２から出射して反射シート２４により後方へ向けて反射した光を、リフレクタ２６により前方へ向けて反射させるように構成された車両用灯具１０において、その反射シート２４が灯具正面視において均一にかつ明るく発光して見えるようにすることができる。
【００５８】
その際、本実施形態においては、リフレクタ２６の反射面２６ａにおける各透光部２４ａの後方に位置する第１領域２６ａ１に、反射シート２４からの反射光を該透光部２４ａへ向けて反射させる複数の反射素子２６ｓがそれぞれ形成されるとともに、リフレクタ２６の反射面２６ａにおける複数の第１領域２６ａ１以外の第２領域２６ａ２が、反射シート２４からの反射光を正反射させるように形成された構成となっているので、次のような作用効果を得ることができる。
【００５９】
すなわち、リフレクタ２６の反射面２６ａにおける各透光部２４ａの後方に位置する第１領域２６ａ１に、反射シート２４からの反射光を各透光部２４ａへ向けて反射させる複数の反射素子２６ｓがそれぞれ形成された構成とすることにより、反射シート２４に形成された複数の透光部２４ａを透して灯具正面方向へ向かう光の割合をより一層高めることができる。その際、リフレクタ２６の反射面２６ａにおける複数の第１領域２６ａ１以外の第２領域２６ａ２が、反射シート２４からの反射光を正反射させるように形成された構成とすることにより、５つの発光素子２２からの出射光を、反射シート２４とリフレクタ２６の反射面２６ａの第２領域２６ａ２との間で繰り返し反射させて、５つの発光素子２２から離れた位置まで効率良く導くことができ、これにより反射シート２４をより一層均一に発光させることができる。
【００６０】
また、本実施形態においては、反射シート２４が、透明部材３４で構成されており、複数の透光部２４ａが、透明部材３４の後面３４ａに、複数箇所の素通し部３４ａ１を残した状態で反射処理を施すことにより形成されているので、複数の透光部２４ａを容易に形成することができる。
【００６１】
さらに、本実施形態においては、反射シート２４における５つの発光素子２２の前方に位置する領域が、半透光部２４ｂとして構成されているので、灯具正面視において反射シート２４を、５つの発光素子２２の前方に位置する領域とそれ以外の領域との間で略均一に発光して見えるようにすることができる。特に、本実施形態においては、光源が５つの発光素子２２で構成されており、その正面方向へ向かう光の強度が特に大きくなるので、その前方に位置する半透光部２４ｂにおいて、これら各発光素子２２からの出射光を拡散光として灯具前方へ出射させることにより、半透光部２４ｂが極端に明るくなってしまわないようにすることができる。
【００６２】
また、本実施形態においては、５つの発光素子２２が、反射シート２４と略平行に延びる基板２８に支持されており、また、リフレクタ２６が、この基板２８に支持された構成となっているが、その際、複数の発光素子２２を点灯制御する点灯制御回路４０が、基板２８におけるリフレクタ２６の後方部位に配置されているので、灯具の薄型化を図った上で上記作用効果を得ることができる。特に、本実施形態に係る車両用灯具１０はルームランプであるので、このように薄型化を図ることが車室内の頭上空間を広く確保する上で特に好ましい。
【００６３】
さらに、本実施形態においては、リフレクタ２６が、５つの発光素子２２を全周にわたって囲むように形成されているので、５つの発光素子２２から出射して反射シート２４により後方へ向けて反射した光の多くをリフレクタ２６により前方へ向けて反射させることができる。
【００６４】
上記実施形態においては、各第１領域２６ａ１に複数の反射素子２６ｓが鋸歯状に形成されているものとして説明したが、単一の楔状の反射素子が形成された構成とすることも可能である。
【００６５】
上記実施形態においては、車両用灯具１０の光源が十字配置された５つの発光素子２２で構成されているものとして説明したが、これ以外の個数あるいは配置の発光素子で構成されている場合や、発光素子以外の光源で構成されている場合においても、上記実施形態と同様の構成を採用することにより上記実施形態と同様の作用効果を得ることができる。
【００６６】
上記実施形態においては、リフレクタ２６が、５つの発光素子２２を全周にわたって囲むように形成されているものとして説明したが、これ以外の構成を採用することも可能である。例えば、列状に配置された複数の発光素子に対して、その片側または両側にリフレクタが配置された構成とした上で、その反射面が複数の発光素子から反射シートに沿った方向に離れるに従って該反射シートに近づくように形成された構成とすることが可能である。
【００６７】
上記実施形態においては、車両用灯具１０が、ルームランプである場合について説明したが、テールランプやクリアランスランプ等の他の種類の灯具である場合等においても、上記実施形態と同様の構成を採用することにより上記実施形態と同様の作用効果を得ることができる。
【００６８】
次に、上記実施形態の変形例について説明する。
【００６９】
まず、上記実施形態の第１変形例について説明する。
【００７０】
図６は、本変形例に係る車両用灯具１１０の要部を示す、図４と同様の図である。
【００７１】
同図に示すように、本変形例に係る車両用灯具１１０は、その基本的な構成については上記実施形態の場合と同様であるが、そのリフレクタ１２６における反射面１２６ａの構成が上記実施形態の場合と一部異なっている。
【００７２】
すなわち、本変形例のリフレクタ１２６における反射面１２６ａは、その複数箇所の第１領域１２６ａ１が、シボ加工等により形成された多数の凹凸からなる反射素子１２６ｓで構成されている。なお、第２領域１２６ａ２の構成については、上記実施形態の場合と同様である。
【００７３】
本変形例の構成を採用した場合には、各第１領域１２６ａ１に形成された多数の反射素子１２６ｓで乱反射した光の一部が、その前方に位置する反射シート２４の透光部２４ａへ向かうこととなる。したがって、各透光部２４ａの明るさは上記実施形態の場合に比して減少するが、各第１領域１２６ａ１の表面形状の精度を上記実施形態の場合に比してラフに設定することができる。
【００７４】
次に、上記実施形態の第２変形例について説明する。
【００７５】
図７は、本変形例に係る車両用灯具２１０の要部を示す、図３と同様の図である。
【００７６】
同図に示すように、本変形例に係る車両用灯具２１０は、その基本的な構成については上記実施形態の場合と同様であるが、その反射シート２２４が半透明部材２３４で構成されている点で上記実施形態の場合と異なっている。
【００７７】
本変形例の構成を採用することにより、反射シート２２４の各透光部２２４ａから灯具前方へ出射する光が拡散光となり、また、反射シート２２４の半透光部２２４ｂから灯具前方へ出射する光が上記実施形態の場合よりもさらに大きく拡散する拡散光となるので、反射シート２２４をより均一に発光して見えるようにすることができる。
【００７８】
なお、本変形例の構成を採用する代わりに、上記実施形態の構成において、透光カバー１４を素通し状の部材ではなく半透明部材で構成するようにした場合においても、本変形例と略同様の作用効果を得ることができる。
【００７９】
次に、上記実施形態の第３変形例について説明する。
【００８０】
図８は、本変形例に係る車両用灯具３１０の要部を示す、図３と同様の図である。
【００８１】
同図に示すように、本変形例に係る車両用灯具３１０は、その基本的な構成については上記実施形態の場合と同様であるが、その反射シート３２４の構成が上記実施形態の場合と異なっている。
【００８２】
すなわち、本変形例においては、反射シート３２４が金属部材３３４で構成されている。その際、この金属部材３３４には、上記実施形態の各素通し部３４ａ１に対応する位置に貫通孔３３４ｄが形成されており、これにより複数の透光部３２４ａを構成するようになっている。
【００８３】
この金属部材３３４の後面３３４ａには、上記実施形態の反射膜３６に対応する位置に反射膜３３６が形成されている。一方、この金属部材３３４の前面３３４ｂには、上記実施形態の反射膜３６のような反射膜は形成されていない。そして、この金属部材３３４における５つの発光素子２２の前方に位置する領域には、複数の貫通孔３３４ｅが形成されている。その際、これら各貫通孔３３４ｅは、複数の貫通孔３３４ｄのうち最小径のものよりもさらに小さい径で形成されている。
【００８４】
本変形例の構成を採用した場合においても、灯具正面視において反射シート２４における複数の透光部３２４ａが、上記実施形態の場合と同様にして、明るく均一に発光して見えるようにすることができる。
【００８５】
また、金属部材３３４における５つの発光素子２２の前方に位置する領域に形成された複数の貫通孔３３４からも、５つの発光素子２２からの出射光が灯具前方へ漏れ出るので、反射シート２４全体を均一に発光して見えるようにすることができる。
【００８６】
本変形例の金属部材３３４の代わりに、不透明の樹脂部材等を用いるようにした場合においても、本変形例と略同様の作用効果を得ることができる。また、本変形例において、金属部材３３４の後面３３４ａに金属光沢が確保されていれば、反射膜３３６の形成を省略することも可能である。
【００８７】
なお、上記実施形態および各変形例において諸元として示した数値は一例にすぎず、これらを適宜異なる値に設定してもよいことはもちろんである。
【符号の説明】
【００８８】
１０、１１０、２１０、３１０  車両用灯具
１２  ランプボディ
１４  透光カバー
２２  発光素子
２４、２２４、３２４  反射シート
２４ａ、２２４ａ、３２４ａ  透光部
２４ｂ、２２４ｂ  半透光部
２４ｃ、２６ｃ  環状フランジ部
２６、１２６  リフレクタ
２６ａ、１２６ａ  反射面
２６ａ１、１２６ａ１  第１領域
２６ａ２、１２６ａ２  第２領域
２６ｂ  開口部
２６ｓ、１２６ｓ  反射素子
２８  基板
３４  透明部材
３４ａ、３３４ａ  後面
３４ａ１  素通し部
３４ｂ、３３４ｂ  前面
３６、３３６  反射膜
３８  半透過膜
４０  点灯制御回路
２３４  半透明部材
３３４  金属部材
３３４ｄ、３３４ｅ  貫通孔
Ａｘ  光軸
【図１】
2013020895.tif 000003
【図２】
2013020895.tif 000004
【図３】
2013020895.tif 000005
【図４】
2013020895.tif 000006
【図５】
2013020895.tif 000007
【図６】
2013020895.tif 000008
【図７】
2013020895.tif 000009
【図８】
2013020895.tif 000010